(57)【要約】      （修正有）【課題】指針の発光色の色相と同等のハレーションを発生し、指針が暗くならない車両用表示装置を提供する。【解決手段】光源３０と、指針１０と、指針キャップ７０と、表示板と５０、を有し、指針１０は、入光部１１と、発光部１３aと、反射部１２と、着色層１４とを有しており、光源色と、着色層色との色相が異なる車両表示装置において、指針キャップ７０は、指針キャップ内面７０aを有しており、光源色と、着色層色との色相が異なる車両表示装置において、指針キャップ７０は、光源光が指針キャップ内面７０aに照射され、かつ、光源光が指針キャップ内面７０aで反射されるように設定されており、指針キャップ内面色と、着色層色との色相が同等である。【選択図】図２
2015004527.tif 000002
【特許請求の範囲】
【請求項１】
指針を発光せるための光源と、
透光性を有する指針と、
前記指針を装飾する指針キャップと、
前記指針キャップから所定の間隔を設けて配置され、かつ前記指針がその表面上を移動する表示板と、を有し、
前記指針は、前記光源からの光である光源光を内部に導くための入光部と、発光する部分である発光部と、内部に導かれた前記光源光を反射し前記発光部へ導く反射部と、前記発光部に設けられ、前記反射部にて反射して前記発光部を有色発光させる着色層とを有しており、
前記指針キャップは、視認される面と反対側の面である指針キャップ内面を有しており、
前記光源の光の色である光源色と、前記着色層の色である着色層色との色相が異なる車両表示装置において、
前記指針キャップは、前記光源光が前記指針キャップ内面に照射され、かつ、前記光源光が前記指針キャップ内面で反射されるように設定されており、前記指針キャップ内面の色である指針キャップ内面色と、前記着色層色との色相が同等であることを特徴とする車両用表示装置。
【請求項２】
前記光源色が白色であることを特徴とする請求項１に記載の車両用表示装置。
【請求項３】
前記指針キャップ内面は、色相が前記着色層色と同等である色相整部により形成されていることを特徴とする請求項１または請求項２いずれか１つに記載の車両用表示装置。
【請求項４】
前記色相調整部は、塗装により形成されていることを特徴とする請求項３に記載の車両用表示装置。
【請求項５】
前記指針キャップは、色相が前記発光部の色相と同等である樹脂により形成されていることを特徴とする請求項１ないし請求項４いずれか１つに記載の車両用表示装置。
【請求項６】
前記指針キャップは、視認側の面である指針キャップ視認面を有しており、
前記指針キャップ視認面は、外観着色層により形成されていることを特徴とする請求項５に記載の車両用表示装置。
【発明の詳細な説明】
【技術分野】
【０００１】
本発明は、発光部有する指針を備える車両用表示装置に関するものである。
【背景技術】
【０００２】
車両用表示装置において、コンビネーションパネルの表示板上には、光源の光により発光する速度計や、エンジン回転計や、燃料計や、油温計などの指針が取付けられている。指針には、装飾のため指針キャップが取付けられており、指針キャップと文字板視認側の面との間には、指針を回転させるための隙間が設けてある。その隙間から、指針を発光させるために設けられた光源の光が漏れ指針キャップの周囲がぼんやりと光るハレーションが発生する。そのハレーションの色相は、指針の発光色の色相と異なるため、視認者に違和感を与えるため問題となっている。
【０００３】
従来、指針の色相とハレーションの色相とを同等とする手法として、導光体の出光部経路上に指針の照明色とほぼ同色の透光性着色層を設ける手法、および、導光体に指針の照明色とほぼ同色の透光性着色層を設ける手法が知られている（特許文献１参照）。
【０００４】
特許文献１の表示装置では、導光体の出光部経路上にある文字板に、導光体の入光部に、または導光体の出光部に、指針の照明色とほぼ同色の着色印刷層を設けている。これにより、指針キャップと文字板との間から漏れる光であるハレーションの色相を、指針の照明色とほぼ同色とすることができ、視認者の違和感を減らすことができるものである。
【先行技術文献】
【特許文献】
【０００５】
【特許文献１】特開２００１−２０８５７１号公報
【発明の概要】
【発明が解決しようとする課題】
【０００６】
しかし、導光体の出光部経路上に指針の照明色とほぼ同色の透光性着色層を設ける手法、および、導光体に指針の照明色とほぼ同色の透光性着色層を設ける手法は、指針の入光部に透過させ指針を照明する照明光の光度も大きく低下させるため、指針が暗くなる課題を生じる。
【課題を解決するための手段】
【０００７】
上記目的を解決するために、請求項１に記載の発明は、指針を発光せるための光源と、透光性を有する指針と、指針を装飾する指針キャップと、指針キャップから所定の間隔を設けて配置され、かつ前記指針がその表面上を移動する表示板と、を有し、指針は、光源からの光である光源光を内部に導くための入光部と、発光する部分である発光部と、内部に導かれた光源光を反射し発光部へ導く反射部と、発光部に設けられ、反射部にて反射して前記発光部を有色発光させる着色層とを有しており、指針キャップは、視認される面と反対側の面である指針キャップ内面を有しており、光源の光の色である光源色と、着色層の色である着色層色との色相が異なる車両表示装置において、指針キャップは、光源光が指針キャップ内面に照射され、かつ、光源光が指針キャップ内面で反射されるように設定されており、指針キャップ内面の色である指針キャップ内面色と、着色層色との色相が同等であることを特徴とする。
【０００８】
このように、本発明によれば、指針内部に導かれなかった光源光は、指針キャップ内面に照射され、指針キャップ内面にて反射される。その反射された光により、指針キャップと表示板との間隔から光が漏れるハレーションが発生する。しかし、指針キャップの指針キャップ内面色と、指針の着色層色との色相が同等なので、ハレーションの色相を指針の発光色と同等の色相とすることができ、視認者に違和感を与えない。光源光を直接入光部に照射するので、光源光は光度を大きく低下しない。そのため、入光部には、光度の高い光を照射することができ、指針が暗くなることを防止することができる。
【０００９】
請求項２に記載のように、光源色が白色であることを特徴とする。
【００１０】
このように本発明によれば、光源色が白色であるので、安価に光源を調達することができる。また、光源色が白色であるので、光度の高い光源を選択し、入光部から指針内部に導かれる光の光度を高くし、発光部から放出する光の光度を高めることができるので、指針の視認性を向上することができる。
【００１１】
請求項３に記載のように、指針キャップ内面は、色相が着色層色と同等である色相整部により形成されていることを特徴とする。
【００１２】
このように本発明によれば、指針キャップ内面は、色相が着色層色と同等である色相整部により形成されているので、色相整部の色相のみ変更することによりハレーションの色相を指針の発光色に合わせることができる。
【００１３】
請求項４に記載のように、色相調整部は、塗装により形成されていることを特徴とする。
【００１４】
このように本発明によれば、色相調整部は、塗装により形成されているので、ハレーションの色相を塗装色の色相のみを変化させるだけで指針の発光色に合わせることができる。
【００１５】
請求項５に記載のように、指針キャップは、色相が発光部の色相と同等である樹脂により形成されていることを特徴とする。
【００１６】
このように本発明によれば、指針キャップは、色相が発光部の色相と同等である樹脂により形成されているので、指針キャップ内面の色は色相整部を設けなくてもハレーションの色相を指針の発光色の色相と同等とすることができる。
【００１７】
請求項６に記載のように、指針キャップは、視認側の面である指針キャップ視認面を有しており、指針キャップ視認面は、外観着色層により形成されていることを特徴とする。
【００１８】
このように本発明によれば、指針キャップは、視認側の面である指針キャップ視認面を有しており、指針キャップ視認面は外観着色層により形成されているので、ハレーションの色を指針の発光色の色相と同等の色相に変化させるために、指針キャップを外観上意図しない色相で形成した場合あっても、外観着色層を変化させることで指針キャップの外観色を容易に変更することができる。
【図面の簡単な説明】
【００１９】
【図１】本発明の実施形態における指針計を示す正面図である。
【図２】本発明の第１実施形態における指針計の機械的構成を示す断面図であり、図１中のＡ−Ａ線断面図である。
【図３】本発明の第２実施形態における指針計の機械的構成を示す断面図であり、図１中のＡ−Ａ線断面図である。
【発明を実施するための形態】
【００２０】
（第１実施形態）
以下、本発明の具体的な実施形態１について、図１、図２を用いて説明する。
【００２１】
図１は、指針計２００の正面図であり、図２は、図１のＡ−Ａにおける指針計２００の断面図である。
【００２２】
指針計２００は、車両の車室内運転席前方のインストルメントパネル内に収容されたコンビネーションパネルに内に配置されており、車両の速度を示す速度計や、車両のエンジン回転数を示すエンジン回転計や、車両の燃料の残量を示す燃料計や、車両のオイルの温度を示す油温計などが存在する。指針計２００は、ケース４０と、表示板５０とが、図示されていないロアカバーと、図示されていない見返し板とに挟持され、そのロアカバーには、ムーブメント２０と光源３０とが取付けられた回路基板６０が固定されており、ムーブメント２０には、指針キャップ７０が取付けられた指針１０が固定されて構成されている。
【００２３】
指針１０は、車両の速度や、車両のエンジン回転数や、車両の燃料の残量や、車両オイルの温度などを指し示すものであり、透光性の樹脂で形成され、入光部１１と、反射面１２と、発光部１３と、指針軸１５とを有している。
【００２４】
入光部１１は、光源３０から発光された光である光源光を指針１０内部に導くために、光源３０と対向する位置に設けられている。
【００２５】
反射面１２は、入光部１１から指針１０内部に導かれた光源光を反射し発光部１３へ導くために、発光部１３と反対側の入光部１１と対向する位置に斜めに設けられている。
【００２６】
発光部１３は、表示板５０に対向する面である発光部裏面１３ａと、発光部裏面１３ａと対向する面である発光部表面１３ｂと、発光部裏面１３ａおよび発光部表面１３ｂにて挟まれた面である発光部側面１３ｃとから成る。発光部１３は、指針１０における視認者により視認される部分であり、発光部側面１３ｃに挟まれた幅が先端に向かって細くなる形状をしており、かつ、発光部裏面１３ａが発光部１３の先端に向かって視認者方向に傾斜して形成されている。発光部裏面１３ａには、全体を覆うように青色の塗料からなる着色層１４が形成されている。
【００２７】
指針軸１５は、円筒状に形成されており、後述するムーブメント軸２２を挿入することで、指針１０をムーブメント２０に固定するため設けられている。
【００２８】
ムーブメント２０は、指針１０を回転駆動させるためのステップモータであり、ボス部２１と、ムーブメント軸２２を有し、ボス部２１が回路基板６０に設けられた回路基板開口６１を貫通し、回路基板６０の視認者側の面である回路基板表面６０ａを突出するよう、回路基板表面６０ａとは反対側の面である回路基板裏面６０ｂにて支持されている。ボス部２１は、ムーブメント軸２２を貫通させるための図示されていない穴が設けてある。ムーブメント軸２２は、指針１０をムーブメント２０に固定し、ムーブメント２０の回転力を指針１０に伝えるものであり、ボス部２１に設けられた図示されていない穴を通り、回転可能なように配置されている。
【００２９】
光源３０は、指針１０を発光させるために、指針１０の入光部１１と対向する位置で、かつ、ボス部２１を取り囲むように配置された４つの白色発光色を有するＬＥＤからなる。
【００３０】
ケース４０は樹脂からなり、光源３０から放射される光源光が指針１０とは異なる部位に漏れないよう、円筒形状でかつ表示板５０を支える構造を有しており、光源３０を取り囲む位置に配置されている。
【００３１】
表示板５０は、視認される面である表示板表面５０ａと、表示板表面５０ａとは反対側の面である表示板裏面５０ｂと有しており、表示板開口５１が形成された樹脂により形成されている。表示板開口５１は、指針１０をムーブメント２０に取付けるためと、光源３０からの光を指針１０の入光部１１および指針キャップ７０の後述する指針キャップ内面７０ａに照射するためとに設けられている。
【００３２】
回路基板６０は、構成されている回路に光源３０がはんだ付けにより実装されている面である回路基板表面６０ａと、回路が構成されており、ムーブメント２０が固定された回路基板裏面６０ｂと、ムーブメント２０のボス部２１を挿入するために設けられている回路基板開口６１とを有する樹脂で形成されており、ケース４０を支えている。
【００３３】
指針キャップ７０は、表示板開口５１から指針計２００内部が見えないようにし、指針１０を装飾するために設けられている。指針キャップ７０は、黒色の樹脂で形成されており、指針キャップ７０の視認される面とは反対側の面である指針キャップ裏面７０ａと、指針キャップ７０の視認される面である指針キャップ視認面７０ｂからなる。指針キャップ裏面７０ａには、指針１０の発光部裏面１３ａに設けられた着色層１４と色相が同等である青色の塗料により形成されている色相調整部７１を有し、指針キャップ視認面７０ｂには、表示板５０の表示板表面５０ａと垂直をなす方向面である指針キャップ側面７０ｃに、指針キャップ切り欠き７３が設けられている。
【００３４】
指針キャップ７０は、指針キャップ切り欠き７３にて指針１０と指針キャップ７０との隙間から光が漏れないようにするため、発光部１３の発光部表面１３ｂと、発光部側面１３ｃを挟持し、反射面１２を指針キャップ裏面７０ａにて覆うように指針１０に固定されている。指針キャップ７０と表示板表面５０ａとの間には、指針１０を回転させるためにギャップ８０が設けてある。
【００３５】
以下、指針１０における発光部１３と、ハレーションの色相を同等とする手法について説明する。
【００３６】
色相が同等とは、２０種のマンセル色相環において２つの隣り合う範囲の色相をいい、明度と、彩度とについては考慮しない。
【００３７】
指針１０における発光部１３の色相について説明する。
【００３８】
光源３０からの光は、表示板開口５１を通過し、指針１０に設けられた入光部１１に照射され一部が指針１０内部に導かれる。指針１０内部に導かれた光源３０からの光は、反射面１２により反射され、発光部１３に導かれる。反射面１２により反射され発光部１３に導かれた第１の反射光は、着色層１４に照射される。着色層１４に照射された第１の反射光は、着色層１４が青色の塗料により形成されているので、青色の反射光となる。着色層１４にて反射された青色の反射光である第２の反射光は、発光部表面１３ｂから指針１０外部に放射される。したがって、指針１０の発光部１３は、発光部１３から外部に放射された青色の第２の反射光により、青色の色相にて発光する。
【００３９】
ハレーションの色相について説明する。
【００４０】
表示板開口５１を通過し、指針１０に設けられた入光部１１から指針１０内部に導かれなかった光源３０からの光は、一部が指針キャップ内面７０ａに照射され、一部がギャップ８０から指針キャップ７０の外へ漏れる。
【００４１】
表示板開口５１を通過し、指針１０に設けられた入光部１１から指針１０内部に導かれず、かつ、指針キャップ内面７０ａに照射されずギャップ８０から指針キャップ７０の外へ漏れた光源３０からの光は、指針キャップ７０の外であるハレーション領域９０に、第１ハレーションを発生する。第１ハレーションは、光源３０の光の色が白色であるため、色相が白色である。
【００４２】
指針キャップ内面７０ａに照射された光源３０からの光は、指針キャップ内面７０ａに設けられた色相調整部７１にて反射される。色相調整部７１にて反射された光源３０からの光は、色相調整部７１が青色の塗料により形成されているため、青色の反射光である第３の反射光を生じる。第３の反射光は、ギャップ８０を通過し、指針キャップ７０の外であるハレーション領域９０に、第２ハレーションを発生する。第２ハレーションは、第３の反射光が青色であるため、色相が青色である。
【００４３】
よって、ハレーションの色相は、白色である第１ハレーションと青色である第２ハレーションとが交じり合い、視認者には青色に見える。
【００４４】
したがって、指針１０における発光部１３の色相と、ハレーションの色相とが同等の色相である青色であるので、視認者に違和感を与えない。
【００４５】
（第２実施形態）
次に、本発明の第２実施形態について、図３を用いて説明する。なお、以降に各実施形態においては、上述した第１実施形態と同一の構成要素には同一の符号を付して説明を省略し、異なる構成および特徴について説明する。
【００４６】
図３は、第２実施形態の指針計２００の断面図であり、図１のＡ−Ａ部における断面図である。
【００４７】
指針キャップ７０は、指針１０に設けられた着色層１４と同等の色相である青色の樹脂により形成されている。指針キャップ内面７０ａは、指針キャップ７０が着色層１４と同等の色相である青色の樹脂で形成されるので、色相調整部７１を設けなくても指針１０の着色層１４と同等の色相である青色に形成される。
【００４８】
指針キャップ視認面７０ｂには、黒色の塗料により外観着色層７２が形成されている。指針キャップ７０は、外観着色層７２が黒色の塗料で形成されているので、着色層１４の色相と同等である青色の樹脂により形成された場合であっても、黒色の外観色を有することができる。
【００４９】
ハレーションの色相について説明する。
【００５０】
光源光は、色相調整部７１が設けられていないため、指針キャップ内面７０ａにて反射される。指針キャップ内面７０ａにて反射された光源光は、指針キャップ内面７０ａが色相調整部７１を設けなくても指針１０の着色層１４と同等の色相に形成されているので、光源３０からの光が照射されると青色である第３の反射光を生じる。第３の反射光は、ギャップ８０を通過し、指針キャップ７０の外であるハレーション領域９０に、第２ハレーションを発生する。第２ハレーションは、第３の反射光が青色であるため、色相が青色である。
【００５１】
よって、ハレーションの色相は、白色である第１ハレーションと青色である第２ハレーションとが交じり合い、視認者には青色に見える。
【００５２】
したがって、指針１０の発光部１３から放出される光の色相と、ハレーションの色相とが同等である青色であるので、視認者に違和感を与えない。
【００５３】
（その他の実施形態）
なお、本発明は、上述の実施例に限らず、以下のように種々変形可能である。
【００５４】
発光部３０は、指針１０の入光部１１と対向する位置で、かつ、ボス部２１を取り囲むように配置された４つのＬＥＤに限定されるものではない。例えば、１つのＬＥＤを任意の位置に設け、ＬＥＤからの光を導光体に照射し、その導光体がボス部２１を取り囲むように配置して指針１０の入光部１１に照射してもよい。着色層１４の色相は、青色に限られるものではない。例えば、着色層１４は、赤色や、緑色であってもよい。色相調整部７１は、青色に限られるものではなく、着色層１４と同等の色相であればよい。例えば、色相調整部７１は、着色層１４の色相が赤色である場合には、色相が赤色であればよい。第１実施形態における指針キャップ７０は、黒色の樹脂にて形成されているもの限られるものではない。例えば、白色であってもよい。第２実施形態における指針キャップ７０は、青色の樹脂にて形成されているものに限られるものではない。例えば、着色層１４が赤色である場合には、指針キャップは赤色の樹脂で形成されていればよい。第１実施形態と、第２実施形態とを組み合わせたものであってもよい。例えば、指針１０の着色層１４の色相が青色である場合において、指針キャップ７０を黒色の樹脂で形成し、色相調整部７０を青色の塗料で形成し、外観着色層を白色の塗料で形成してもよい。これにより、指針キャップ７０の外観色のみ異なる指針キャップを容易に形成することができる。
【符号の説明】
【００５５】
１０・・・指針、１１・・・入光部、１２・・・反射面、１３・・・発光部、１３ａ・・・発光部裏面、１３ｂ・・・発光部表面、１３ｃ・・・発光部側面、１４・・・着色層、１５・・・指針軸、２０・・・ムーブメント、２１・・・ボス部、２２・・・ムーブメント軸、３０・・・光源、４０・・・ケース、５０・・・表示板、５０ａ・・・表示板表面、５０ｂ・・・表示板裏面、５１・・・表示板開口、６０・・・回路基板、６０ａ・・・回路基板表面、６０ｂ・・・回路基板裏面、６１・・・回路基板開口、７０・・・指針キャップ、７０ａ・・・指針キャップ内面、７０ｂ・・・指針キャップ視認面、７０ｃ・・・指針キャップ側面、７１・・・色相調整部、７２・・・外観着色層、７３・・・指針キャップ切り欠き、８０・・・ギャップ、９０・・・ハレーション領域、２００・・・指針計
【図１】
2015004527.tif 000003
【図２】
2015004527.tif 000004
【図３】
2015004527.tif 000005